(57)【特許請求の範囲】
【請求項１】
施工面上に予め所定間隔で立設される柱用芯材と、両側部に配置された分割支柱材および上下部に配置された横材によって四周が枠組みされ、枠組内部にパネル又は複数の桟材が配置されるとともに、前記柱用芯材間に設置されるユニット材とから成るフェンス又は手摺り構造であって、
前記柱用芯材は、断面略横Ｈ形状を成し、一方側フランジの外面中央に凹状の切欠きを有するとともに、他方側フランジの外面中央に凹状の切欠きを有し、これら切欠きによって形成された右側の、ウエブを跨いだ前後対の段部が前記分割支柱材のための被係合部を構成し、前記切欠きによって形成された左側の、ウエブを跨いだ前後対の段部が前記分割支柱材のための被係合部を構成し、
前記ユニット材の分割支柱材は、断面視で前記柱用芯材の略片側半分を囲む半枠部を有するとともに、該半枠部の両端部に夫々、前記柱用芯材の被係合部に対する係合部を有し、
上方側から、前記両分割支柱材の係合部を前記柱用芯材の被係合部に係合させた状態で、前記ユニット材の半枠部を柱用芯材に落とし込むことにより、前記各ユニット材の取付けが行われ、
前記柱用芯材を囲む一対の分割支柱材の組合せによって支柱が構成されているとともに、前記分割支柱材同士は直接的に係合しておらず、設置後に任意のユニットを上方に引き上げて撤去可能かつ新規のユニットを落し込みによって設置可能となっていることを特徴とするフェンス又は手摺り構造。
【請求項２】
前記上部側横材の上面に長手通しの笠木部材を配設してある請求項１記載のフェンス又は手摺り構造。
【請求項３】
前記柱用芯材を囲む一対の分割支柱材の縦目地間に固形シール材を挟入してある請求項１、２いずれかに記載のフェンス又は手摺り構造。
【発明の詳細な説明】
【技術分野】
【０００１】
本発明は、区画境界や敷地境界を仕切ったり、マンション、ビルなどの構造物における落下防止設備として設置されるフェンス構造又は通路、屋上、階段、バルコニーなどに設置される手摺り構造に関する。
【背景技術】
【０００２】
従来より、例えば区画境界や敷地境界を仕切る柵やマンション、ビルなどの構造物における落下防止柵等として種々のフェンス構造が提案されている。
【０００３】
例えば、下記特許文献１では、地面から立設された柱材と、この柱材に支持されたフェンスユニットとからなるフェンス構造が提案されている。前記フェンスユニットは、上下の横枠材および左右の縦枠材を四周枠組みした枠体と、この枠体の一方の側面に面材としてパンチングメタルを備えて構成され、施工に当たっては、前記柱材を所定間隔で立設し、柱材の一方面側に前記フェンスユニットを順次、固定する。
【０００４】
また、下記特許文献２では、互いに係合部で係合させられることにより一つの支柱となる分割支柱材を、係合部を互いに相手の係合部と係合する方向に向けて所定の間隔に保ち、両分割支柱材の上下間に夫々横材を渡設するとともに、これによって囲われた空間内に立子或いはパネルを取り付けて一ユニットを構成し、かくして構成したユニットの複数を、相係合する分割支柱材で一つの支柱が形成されるように組み立てて連結し、組立てられた支柱にはキャップを被せ、或いはバンドで回りから締めるとともにその支柱を施工面に建ててなるフェンス構造が提案されている。
【特許文献１】特開２００５−２２６２６５号公報
【特許文献２】特開昭４９−１９６４３号公報
【発明の開示】
【発明が解決しようとする課題】
【０００５】
しかしながら、前記特許文献１に係るフェンス構造の場合は、柱材の片面側にフェンスユニットを順次固定していくものであるため、外観・意匠性に乏しいとともに、フェンスの幅（厚み）寸法が大きくなってしまう。また、柱材に対するフェンスユニットの固定作業に多くの手間と時間を要するなどの問題があった。
【０００６】
これに対して、前記特許文献２記載のフェンス構造の場合は、ユニットの両側に備えられた分割支柱材を互いに組み合せて支柱材を構成するものであり、外観・意匠性に優れるとともに、フェンスの幅（厚み）寸法も小さくできるなどの利点を有する。しかしながら、施工に当たっては、地面や床面等に寝かせながら長手方向に複数のユニットを組立てたならば、分割支柱材が分割するのを防止するため、キャップを被せたり、バンドで締め付けたりした後、施工面に建て込む必要があるため、建込み作業に当たって、組立て作業に多くの手間と時間が掛かるとともに、建込みに複数の作業員を必要とするなどの問題があった。
【０００７】
また、分割支柱材同士を水平方向から噛み合わせるようにして結合する構造であるため、仮に一つのユニットに損傷が発生し、交換を余儀なくされた場合、一つのユニットのみを交換することが実質的に困難であるか、大掛かりな工事になってしまうなどの問題もあった。
【０００８】
そこで本発明の主たる課題は、組立ておよび施工（建込み）が容易で、かつ外観・意匠性に優れるとともに、ユニット単位の交換が簡易に行えるようにしたフェンス又は手摺り構造を提供することにある。
【課題を解決するための手段】
【０００９】
前記課題を解決するために請求項１に係る本発明として、施工面上に予め所定間隔で立設される柱用芯材と、両側部に配置された分割支柱材および上下部に配置された横材によって四周が枠組みされ、枠組内部にパネル又は複数の桟材が配置されるとともに、前記柱用芯材間に設置されたユニット材とから成るフェンス又は手摺り構造であって、
前記柱用芯材は、断面略横Ｈ形状を成し、一方側フランジの外面中央に凹状の切欠きを有するとともに、他方側フランジの外面中央に凹状の切欠きを有し、これら切欠きによって形成された右側の、ウエブを跨いだ前後対の段部が前記分割支柱材のための被係合部を構成し、前記切欠きによって形成された左側の、ウエブを跨いだ前後対の段部が前記分割支柱材のための被係合部を構成し、
前記ユニット材の分割支柱材は、断面視で前記柱用芯材の略片側半分を囲む半枠部を有するとともに、該半枠部の両端部に夫々、前記柱用芯材の被係合部に対する係合部を有し、
上方側から、前記両分割支柱材の係合部を前記柱用芯材の被係合部に係合させた状態で、前記ユニット材の半枠部を柱用芯材に落とし込むことにより、前記各ユニット材の取付けが行われ、
前記柱用芯材を囲む一対の分割支柱材の組合せによって支柱が構成されているとともに、前記分割支柱材同士は直接的に係合しておらず、設置後に任意のユニットを上方に引き上げて撤去可能かつ新規のユニットを落し込みによって設置可能となっていることを特徴とするフェンス又は手摺り構造が提供される。
【００１０】
上記請求項１記載の発明は、施工面上に予め所定間隔で立設される柱用芯材と、両側部に配置された分割支柱材および上下部に配置された横材によって四周が枠組みされ、枠組内部にパネル又は複数の桟材が配置されるとともに、前記柱用芯材間に設置されたユニット材とから成り、前記柱用芯材は、断面略横Ｈ形状を成し、一方側フランジの外面中央に凹状の切欠きを有するとともに、他方側フランジの外面中央に凹状の切欠きを有し、これら切欠きによって形成された右側の、ウエブを跨いだ前後対の段部が前記分割支柱材のための被係合部を構成し、前記切欠きによって形成された左側の、ウエブを跨いだ前後対の段部が前記分割支柱材のための被係合部を構成し、前記ユニット材の分割支柱材は、断面視で前記柱用芯材の略片側半分を囲む半枠部を有するとともに、該半枠部の両端部に夫々、前記柱用芯材の被係合部に対する係合部を有する構造とする。そして、施工に当たっては、上方側から、前記両分割支柱材の係合部を前記柱用芯材の被係合部に係合させた状態で、前記ユニット材の半枠部を柱用芯材に落とし込むことにより、前記各ユニット材の取付けが行われる。設置完了状態では、前記柱用芯材を囲む一対の分割支柱材の組合せによって支柱が構成されているとともに、前記分割支柱材同士は直接的に係合しておらず、設置後に任意のユニットを上方に引き上げて撤去可能かつ新規のユニットを落し込みによって設置可能となっているものである。
【００１１】
従って、ユニットの両側に備えられた分割支柱材を互いに組合せて支柱材を構成するものであり、外観・意匠性に優れるとともに、フェンスの幅（厚み）寸法も小さくできるなどの利点を有する。また、柱用芯材を施工面上に予め所定間隔で立設し、これを支持材としてユニット材を落とし込みによって設置するようにしたため、組立ておよび施工が非常に容易となる。前記分割支柱材同士は直接的に係合しておらず、柱用芯材を介して単一の支柱材を構成するようにしてあるため、仮に一つのユニットに損傷が発生し、交換を余儀なくされた場合でも、当該損傷したユニットのみを上方に引き上げて簡単に撤去でき、かつ新規のユニット材を落とし込みによって簡単に設置できるようになる。さらに、前記柱用芯材を囲むようにユニットの分割支柱材が組み合わされ、単一の支柱材を構成するようになっているため、支柱材が破損した場合も容易に交換が可能である。
【００１２】
一方、本フェンス又は手摺り構造では、ユニット材の枠組み内部にパネル又は複数の桟材（縦桟、横桟、ルーバー等）を組み込んで種々の形式を採用可能とするものであり、設計当初にパネル形式、縦格子形式、横格子形式、ルーバー形式等に任意に選択可能であるとともに、これら形式の組合せとすることも可能である。また、経年後の形式変更にも容易に対応可能となる。
【００１３】
請求項２に係る本発明として、前記上部側横材の上面に長手通しの笠木部材を配設してある請求項１記載のフェンス又は手摺り構造が提供される。
【００１４】
上記請求項２記載の発明は、外観・意匠性を向上させるため、或いは手摺り材として、前記上部側横材の上面に長手通しの笠木部材を配設するようにしたものである。
【００１５】
請求項３に係る本発明として、前記柱用芯材を囲む一対の分割支柱材の縦目地間に固形シール材を挟入してある請求項１、２いずれかに記載のフェンス又は手摺り構造が提供される。
【００１６】
上記請求項３記載の発明は、分割支柱材間の縦目地の隙間を封止するため、柱用芯材を囲む一対の分割支柱材の間に固形シール材を挟入するようにしたものである。
【発明の効果】
【００１７】
以上詳説のとおり本発明によれば、組立ておよび施工（建込み）が容易で、かつ外観・意匠性に優れるとともに、ユニット単位の交換が簡易に行えるようになる。
【発明を実施するための最良の形態】
【００１８】
以下、本発明の実施の形態について図面を参照しながら詳述する。
図１は本発明に係るフェンス構造１の正面図、図２はその斜視図、図３は図１のIII−III線矢視図、図４は図１のIV−IV線矢視図である。
【００１９】
フェンス構造１は、図１に示されるように、施工面上に予め所定間隔で立設される柱用芯材２，２…と、これら柱用芯材２，２…によって支持されたユニット材３，３…とから成る。また、前記ユニット材３の上部側横材５の上面には長手通しの笠木部材８が配設されている。
【００２０】
前記ユニット材３は、詳細には図５〜図７に示されるように、両側部に配置された分割支柱材４、５と、上下部に配置された横材６，７とによって四周が枠組みされ、枠組内部にパネルＰ（又は後述する複数の桟材）が配置されたもので、基本的には工場製作され現場に搬入される。
【００２１】
前記分割支柱材４は、押出し成型されたアルミ形材とされ、図７に示されるように、断面視で前記柱用芯材２の略片側半分を囲む略溝型形状の半枠部４Ａを有するとともに、該半枠部４Ａの両端部に夫々、前記柱用芯材２に対する係合部４ａ、４ｂを有する。また、前記半枠部４Ａに隣接する前側位置に、内方側に開口溝を向けた断面略コ字状のパネル嵌合溝部４Ｂを備えている。さらに、前記半枠部４Ａの内部には組立て用ビスポケット１０が２箇所設けられている。
【００２２】
一方の分割支柱材５も同様に、押出し成型されたアルミ形材とされ、図７に示されるように、断面視で前記柱用芯材２の略片側半分を囲む略溝型形状の半枠部５Ａを有するとともに、該半枠部５Ａの両端部に夫々、前記柱用芯材２に対する係合部５ａ、５ｂを有する。また、前記半枠部５Ａに隣接する前側位置に、内方側に開口溝を向けた断面略コ字状のパネル嵌合溝部５Ｂを備えている。さらに、前記半枠部５Ａの内部には組立て用ビスポケット１０が２箇所設けられている。
【００２３】
前記上部側横材６は、同じく押出し成型されたアルミ形材とされ、図６に示されるように、前記分割支柱材４、５の半枠部４Ａ、５Ａに対応する部分に平板状の天板部６Ａを有し、この天板部６Ａに隣接する前側位置に、内方側に開口溝を向けた断面略コ字状のパネル嵌合溝部６Ｂを備えている。また、前記天板部６Ａに形成された長孔６ａ、６ａ…は後述の笠木部材８を固定するためのボルト孔である。
【００２４】
前記下部側横材７も同じく押出し成型されたアルミ形材とされ、矩形状中空部７Ａに隣接する前側位置に、内方側に開口溝を向けた断面略コ字状のパネル嵌合溝部７Ｂを備えている。また、前記矩形状中空部７Ａの内部には組立て用ビスポケット１０が２箇所設けられている。
【００２５】
前記分割支柱材４，５及び横材６，７によって四周が枠組みされ、前記パネル嵌合溝４Ａ、５Ｂ、６Ｂ、７Ｂが周方向に沿って連続形成され、このパネル嵌合溝４Ａ、５Ｂ、６Ｂ、７Ｂにグレチャン１１が嵌合されるとともに、このグレチャン１１によってパネルＰが嵌合支持され、ユニット材３が構成されている。なお、図示例では、図５に示されるように、分割支柱材４，５の下端部が下部側横材７よりも若干突出し、脚部１７を有するように組立てられている。
【００２６】
一方、柱用芯材２は、詳細には図１２に示されるように、断面略横Ｈ形状を成すアルミ形材であり、ウエブ２Ａの前後２箇所にアンカーボルト通孔２ａ、２ａを有し、一方側フランジ２Ｂの外面中央に凹状の切欠き２Ｄを有するとともに、他方側フランジ２Ｃの外面中央に凹状の切欠き２Ｅを有する。これら切欠き２Ｄ、２Ｅによって形成された右側のウエブ２Ａを跨いだ前後対の段部が前記分割支柱材４のための被係合部２ｂ、２ｃを構成し、左側のウエブ２Ａを跨いだ前後対の段部が前記分割支柱材５のための被係合部２ｄ、２ｅを構成する。
【００２７】
前記柱用芯材２は、図１１に示されるように、アンカーボルト通孔２ａ、２ａの下端側にタップ加工を施すとともに、アンカーボルト１２，１２の上端側（ネジ部）を螺合接続しておき、アンカーボルト１２の下端を施工面を構成しているコンクリート基礎Ｈに対して埋設固定することにより立設されている。
【００２８】
前記アンカーボルト１２の設置に当たっては、図１３に示されるアンカー用施工治具１４を用いて、精度良くアンカーボルト設置孔をコンクリート基礎Ｈに対して穿孔する。前記アンカー用施工治具１４は、部材長手方向に柱用芯材２の設置間隔に対応する間隔Ｌで、かつ柱用芯材２のアンカーボルト通孔２ａ、２ａに対応する前後２箇所にボルトガイド孔１４ａ、１４ａが形成されたプレート材であり、このアンカー用施工治具１４をコンクリート基礎Ｈの上面に載置し、前記ボルトガイド孔１４ａ、１４ａを通して鉛直に穿孔を行う。アンカーボルト１２の固定は、公知の種々の方法を採用することができるが、例えば樹脂注入アンカー方式を好適に採用することができる。樹脂注入アンカー方式は、二液樹脂接着剤を穿孔内に充填し、アンカーボルト１２を挿入し樹脂による固着によってアンカーボルト１２の固定を図るものである。
【００２９】
この際、柱用芯材２の設置精度を確保するため、図１４に示されるように、建込み用治具１５，１６を使用する。一方の建込み用治具１５は、柱用芯材２，２…の通り芯の確保と、各柱用芯材２，２…の建込み方向を同方向に整列するための治具であり、他方の建込み用治具１６は、前記建込み用治具１５の倒れを調整するための位置決め治具である。
【００３０】
前記建込み用治具１５は、図１８に示されるように、上部連結部材３０と、該上部連結部材３０から離間を空けて上部連結部材３０に平行配置される下部連結部材３１と、これらの間を連結するとともに、前記上部連結部材３０、下部連結部材３１に対して垂直方向に沿って配置され、柱用芯材２，２…に対して上部側から落し込みによって嵌合させる複数の、図示例では４つの芯材保持部材３２，３２…とからなる。前記上部連結部材３０は下側に開口を向けた断面略コ字状部材が使用され、前記下部連結部材３１は側面に開口を向けた断面略字状部材が使用されている。前記芯材保持部材３２は、図１５に示されるように、矩形断面の一隅部を切り欠いた断面形状を成し、フランジ２Ｂ（２Ｃ）の嵌合部を有するとともに、ウエブ２Ａの側面に対して当接する２つのブラケット部３２ｂ、３２ｃを有し、かつ前記ブラケット部３２ｂ、３２ｃと対面する側の側壁面に前記ブラケット部３２ｂとによって柱用芯材２のウエブ２Ａを挟持するために螺設された挟持ボルト３３を備える。
【００３１】
前記芯材保持部材３２，３２…を柱用芯材２，２…に落とし込みに嵌合させることにより、柱用芯材２，２…の通り芯が確保されるとともに、各柱用芯材２，２…が同方向に整列配置されるように規制することが可能である。なお、前記建込み用治具１５は、１つの治具１５を繰り返し使用しても良いが、予め複数用意しておき、連結部材によって長手方向に連続して配置するようにしてもよい。
【００３２】
前記建込み用治具１５は、前記建込み用治具１６によって支持されるとともに、該建込み用治具１６によって倒れ方向の位置が調整可能となっている。建込み用治具１６は、図１７に示されるように、コンクリート基礎Ｈに固定される下向きに開口するコ字状断面の取付けベース３４と、前記取付けベース３４の上面に、対面して立設された支柱部材３６，３７とからなる。
【００３３】
前記支柱部材３６，３７の上部側には対向配置された上部位置決めボルト３８，３８が螺設され、下部側には対向配置された下部位置決めボルト３９，３９が螺設されている。また、前記取付けベース３４の一方側側面には螺設された固定用ボルト４０を備えている。
【００３４】
図１４に示されるように、前記取付けベース３４をコンクリート基礎Ｈに被せるように取付け、固定用ボルト４０を螺進させ、頭部をコンクリート基礎Ｈの側面に当接させることにより前記取付けベース３４の固定を図る。上部位置決めボルト３８，３８は、前記建込み用治具１５の上部連結部材３０の側面位置に対応し、螺進させることにより前記上部連結部材３０を挟持する。前記下部位置決めボルト３９、３９の一方側は、前記建込み用治具１５の下部連結部材３１の側面位置に対応し螺進させることにより先端を当接させ、下部位置決めボルト３９、３９の他方側は、図１５に示されるように、螺進させて柱用芯材２のフランジ２Ａ（２Ｂ）に当接させるようにする。前記上部位置決めボルト３８，３８及び下部位置決めボルト３９，３９の螺進量を調整することによって建込み用治具１５の倒れを調整する。
【００３５】
次に、前記フェンス構造１の施工手順について図８〜図１０に基づいて詳述する。
【００３６】
先ず、図８に示されるように、コンクリート基礎Ｈ面上に、所定の柱間隔Ｌの間隔で前記柱用芯材２，２…を立設する。立設方法は前述したとおりである。
【００３７】
次いで、ユニット材３を持ち込み、両側部の分割支柱材４，５の半枠部４Ａ、５Ａを柱用芯材２，２に落とし込むことにより、前記分割支柱材４，５を柱用芯材２，２に係合させて前記ユニット材３の取付けが順次行われる。この際、ユニット材３，３…の上下方向位置を調整するために、図１９及び図２０に示される上下調整用治具４０を使用し、上下の位置調整を行うようにすることが望ましい。前記上下調整用治具４０は、ベース４０の上面に全ネジボルト４２を立設し、この全ネジボルト４２に上下方向に位置調整される上下調整部材４３を設けたものであり、前記上下調整部材４３は、前記全ネジボルト４２に螺合されるソケット４３Ａと、このソケットの上部に溶接固定され、横材７を支持する受け材４３Ｂとからなる。この上下調整用治具４０を所定間隔で配置し、各ユニット材３の上下位置を調整するとともに、図３に示されるように、横材６，６同士を繋ぎ材２３によって連結し、レベル及び通りを確保した上で、前記ユニット材３と柱用芯材２とを結合するためにビス２０，２０を螺入する。また、前記柱用芯材２を囲む一対の分割支柱材４，５の縦目地間には隙間を封鎖するために固形シール材２１を挟入する。
【００３８】
ユニット材３の設置状態では、図４に示されるように、前記分割支柱材４の半枠部４Ａの係合部４ａ、４ｂが柱用芯材２の被係合部２ｂ、２ｃに係合し、前記分割支柱材５の半枠部５Ａの係合部５ａ、５ｂが柱用芯材の被係合部２ｄ、２ｅに係合するように取付けられ、前記柱用芯材２を囲む一対の分割支柱材４，５の組合せによって支柱９、９…が構成されているとともに、前記分割支柱材４，５同士は直接的に係合していない状態となっている。
【００３９】
各ユニット材３，３…の取付けが完了したならば、図１０に示されるように、前記上部側横材６の上面に長手通しの笠木部材８を配設し、図３に示されるように笠木部材８をビス２２、２２…によって固定する。最後に、各支柱材９の基端部を囲むように付け根カバー２４を設置して施工を完了する。なお、前記付け根カバー２４は半割構造とされ、支柱材９の外側から設置可能となっている。
【００４０】
〔他の形態例〕
(1)上記形態例では、ユニット材３の枠組み内部にパネルＰを嵌合支持させるようにしたが、図２１に示されるように、枠組み内部に複数の桟材５０…、５１…を配設したユニット材３とすることも可能である。図２１(A)は、縦桟５０、５０…を配置した例であり、図２１(B)は、横桟５１，５１…を配置した例である。これ以外に、横／縦ルーバー等を配置した形式とすることもできる。更には、図２１(C)に示されるように、これらの組合せとすることも可能である。
(2)上記形態例では、ユニット材３において、周方向を巡るパネル嵌合溝４Ａ、５Ｂ、６Ｂ、７Ｂが形成され、グレチャン１１を介してパネルＰを嵌合支持するようにしたが、図２２及び図２３に示されるように、バックアップ材とシール材とによる支持としてもよい。図示例は、パネルＰの上縁と下縁の２辺をバックアップ材２５とシール材２６とによって支持し、両側縁はパネルＰと分割支柱材４，５との間の空間を、ガスケット２７、バックアップ材２５及びシール材２６によって充填した構造としてある。
(3)上記形態例では、フェンス構造１として説明したが、手摺りとしても全く同様の構造を採用することが可能である。
【図面の簡単な説明】
【００４１】
【図１】本発明に係るフェンス構造１の正面図である。
【図２】その斜視図である。
【図３】図１のIII−III線矢視図である。
【図４】図１のIV−IV線矢視図である。
【図５】ユニット材３の正面図である。
【図６】図５のVI−VI線矢視図である。
【図７】図５のVII−VII線矢視図である。
【図８】施工要領図（その１）である。
【図９】施工要領図（その２）である。
【図１０】施工要領図（その３）である。
【図１１】柱用芯材２の建込み状態を示す側面図である。
【図１２】柱用芯材２の断面図である。
【図１３】アンカー用施工治具１４を示す平面図である。
【図１４】建込み用治具１５，１６の取付け状態を示す柱用芯材２の側面図である。
【図１５】図１４のXV-XV線矢視図である。
【図１６】図１４のXVI-XVI線矢視図である。
【図１７】建込み用治具１６の斜視図
【図１８】建込み用治具１５の斜視図である。
【図１９】上下調整用治具４０によるユニット材３の上下調整要領を示す正面図である。
【図２０】その断面図である。
【図２１】フェンス形式を示す、(A)は縦桟形式、(B)は横桟形式、(C)は組合せ形式を示す正面図である。
【図２２】パネル支持構造を変形例を示す縦断面図である。
【図２３】その横断面図である。
【符号の説明】
【００４２】
１…フェンス構造、２…柱用芯材、２Ａ…ウエブ、２Ｂ・２Ｃ…フランジ、２Ｄ・２Ｅ…切欠き、２ｂ〜２ｅ…被係合部、３…ユニット材、４・５…分割支柱材、４Ａ・５Ａ…半枠部、４ａ・４ｂ・５ａ・５ｂ…係合部、６・７…横材、８…笠木部材、９…支柱、Ｐ…パネル
【図１】
0005095502.tif 000002
【図２】
0005095502.tif 000003
【図３】
0005095502.tif 000004
【図４】
0005095502.tif 000005
【図５】
0005095502.tif 000006
【図６】
0005095502.tif 000007
【図７】
0005095502.tif 000008
【図８】
0005095502.tif 000009
【図９】
0005095502.tif 000010
【図１０】
0005095502.tif 000011
【図１１】
0005095502.tif 000012
【図１２】
0005095502.tif 000013
【図１３】
0005095502.tif 000014
【図１４】
0005095502.tif 000015
【図１５】
0005095502.tif 000016
【図１６】
0005095502.tif 000017
【図１７】
0005095502.tif 000018
【図１８】
0005095502.tif 000019
【図１９】
0005095502.tif 000020
【図２０】
0005095502.tif 000021
【図２１】
0005095502.tif 000022
【図２２】
0005095502.tif 000023
【図２３】
0005095502.tif 000024